(57)【要約】【課題】犬等のペットを運搬する目的で、バッグやキャリーケースが用いられている。従来のバッグにおいては、通気性確保のために穴を開けたり、メッシュ材を縫い付ける等の複雑で手間のかかる加工を要している。また多数の通気孔を設けたプラスチック製のキャリーケース等もあるが未使用時においても嵩張って、取り扱いにくいという問題点がある。【解決手段】本発明では、剛性を有する底板２を載置する底部３を含め、全周壁を通気性布材４で構成して、底部３の上方にペット収納用の閉空間５を形成すると共に、適所に開閉部６を設けたペット収納用バッグ１を提案する。通気性布材４は例えばエアメッシュ材７で構成する。開閉部は前又は後側面の底部を除く周縁部にファスナ１５ａを設けて構成し、開閉部は上側面の一端を除く周縁部に沿ってファスナ１５ｂを設けて構成したペット収納用バッグ１を提案する。【選択図】    図１
2009142196.tif 000002
【特許請求の範囲】
【請求項１】
剛性を有する底板を載置する底部を含め、全周壁を通気性布材で構成して、底部の上方にペット収納用の閉空間を形成するとともに、適所に開閉部を設けたことを特徴とするペット収納用バッグ。
【請求項２】
通気性布材はエアメッシュで構成したことを特徴とする請求項１に記載のペット収納用バッグ。
【請求項３】
開閉部は、前または後側面の底部を除く周縁部にファスナを設けて、構成したことを特徴とする請求項１に記載のペット収納用バッグ。
【請求項４】
開閉部は、上側面の一端を除く周縁部に沿ってファスナを設けて、構成したことを特徴とする請求項１に記載のペット収納用バッグ。
【請求項５】
前および後側面の周縁部には、剛性を有するフレームを設けたことを特徴とする請求項１に記載のペット収納用バッグ。
【請求項６】
上側面の両横端縁部には、剛性を有する棒体を設けたことを特徴とする請求項１に記載のペット収納用バッグ。
【発明の詳細な説明】
【技術分野】
【０００１】
本発明は、犬等のペット（愛玩動物）を運搬する際などに使用するバッグに関するものである。
【背景技術】
【０００２】
犬等のペットを安全、快適に、しかも周囲に迷惑をかけたりしないように運搬する目的で、従来よりバッグやキャリーケースが用いられている。
【０００３】
例えば、図７に示す特許文献１のペット犬の運搬バッグがある。これはバッグ１００の中にペット犬（図示省略）を収納して、帯紐体１０１を肩に掛けるなどして、ペット犬を運搬するものである。ペット犬をバッグ１００の中に収納して運搬できるので、電車やバスに乗って出掛けるときでも、ペット犬を安全に持ち歩けることができる。しかしながら、このようなバッグ１００は通気性が良くないので、例えばバッグ１００に通気のための穴開け加工を施すとともに、この穴にメッシュ材を縫い付けるなどして、通気窓１０２や通気兼用の覗き窓１０３を設けて通気性を確保している。
【０００４】
また、特許文献２では、プラスチック製の容器に複数の換気用の孔を設けたペット用運搬容器が提案されている。
【特許文献１】実公平６−１６４９９号公報
【特許文献２】実用新案登録第３０４１２７７号公報
【発明の開示】
【発明が解決しようとする課題】
【０００５】
前記の特許文献１で提案されているペット犬の運搬バッグでは、これを製造する工程において、通気性確保のための穴開け加工やメッシュ材の縫い付け加工が必要であり、加工工程が複雑で手間がかかるという問題点がある。また、特許文献２で提案されているペット用運搬容器では、未使用時においても嵩張って、取り扱いにくいという問題点がある。本発明はこのような課題を解決することを目的とするものである。
【課題を解決するための手段】
【０００６】
以上の課題を解決するために，本発明では、剛性を有する底板を載置する底部を含め、全周壁を通気性布材で構成して、底部の上方にペット収納用の閉空間を形成するとともに、適所に開閉部を設けたペット収納用バッグを提案する。
【０００７】
さらに、本発明は上記構成において、通気性布材はエアメッシュで構成したペット収納用バッグを提案する。
【０００８】
そして、本発明は上記構成において、開閉部は、前または後側面の底部を除く周縁部にファスナを設けて、構成したペット収納用バッグを提案する。
【０００９】
そして、本発明は上記構成において、開閉部は、上側面の一端を除く周縁部に沿ってファスナを設けて、構成したペット収納用バッグを提案する。
【００１０】
そして、本発明は上記構成において、前および後側面の周縁部には、剛性を有するフレームを設けたペット収納用バッグを提案する。
【００１１】
さらに、本発明は上記構成において、上側面の両横端縁部には、剛性を有する棒体を設けたペット収納用バッグを提案する。
【発明の効果】
【００１２】
本発明のペット収納用バッグは、剛性を有する底板の上方に形成したペット収納用の閉空間に、犬等のペットを収納した状態で、ペットを運搬できるので、電車やバスを利用して出掛けるときでも、ペットを安全に、しかも周囲に迷惑をかけたりすることなく連れていくことができる。
【００１３】
さらに、剛性を有する底板を載置する底部を含め、全周壁を通気性布材のエアメッシュで構成したので、通気性確保のための特別な加工をしなくても通気性は極めて良好であり、加えて、エアメッシュは吸水性・吸湿性に優れ、しかも乾きやすいので、ペットを快適な環境下で運搬することができる。
【００１４】
そして、全周壁を通気性布材のエアメッシュで構成した結果、ペット収納用バッグ自体を軽量に構成することができ、したがって特に腕力の弱い女性や子供にもペットを運搬し易くする効果がある。
【００１５】
また、本発明のペット収納用バッグへのペットの出し入れは、前または後側面の底部を除く周縁部にファスナを設けて構成した開閉部を介してか、あるいは上側面の一端を除く周縁部に沿ってファスナを設けて構成した開閉部を介して、容易に行うことができる。給餌についても同様である。
【００１６】
そして、本発明のペット収納用バッグは、前および後側面の周縁部に、剛性を有するフレームを設け、そして上側面の両横端縁部に、剛性を有する棒体を設けたので、ペットを収納して運搬する使用状態において、バッグ自体の形状、そしてその内部のペット収納用の閉空間を安定に保つことができるので、閉空間が狭まり窮屈になったりして、ペットに不快感を与えることを防ぐことができる。
【００１７】
加えて、未使用状態においては、剛性を有する底板の、底部への載置状態を解除し、すなわち底板を底部から取除けば、底部の剛性は無くなるので、前および後側面の底部側は互いに近づく方向に傾斜させて、折りたたみ状態にすることができ、したがって本発明のペット収納用バッグの、未使用状態における容積を小さくし得るという効果もある。
【発明を実施するための最良の形態】
【００１８】
次に、本発明を実施するための最良の形態を図１〜図６を参照して説明する。なお、図１と図６はともに斜視図であり、図２は一部を切り欠いた斜視図、図３、図４はそれぞれ底板の平面図と底面図である。また図５は一部を切り欠いた平面図である。
【００１９】
図に示すように、本発明のペット収納用バッグ１は、剛性を有する底板２を載置する底部３を含め、全周壁を通気性布材４で構成して、底部３の上方にペット収納用の閉空間５を形成するとともに、適所に開閉部６を設けている。本発明においては、前（または後）側面の底部を除く周縁部にファスナ１５ａを設けて構成した開閉部６ａと、上側面の一端を除く周縁部に沿ってファスナ１５ｂを設けて構成した開閉部６ｂを設けた。
【００２０】
本発明においては、通気性布材４をすべてエアメッシュ７で構成した。エアメッシュ７はそれ自体、通気性が極めて良好で、吸水性・吸湿性に優れ、乾きやすく、しかも軽量であるので、したがってこのエアメッシュ７で全周壁を構成したバッグ１も、当然通気性、吸水性・吸湿性に優れ、乾きやすく軽量に構成することができる。
【００２１】
図２に示すように、本発明のペット収納用バッグ１は、ペット８をそのペット収納用の閉空間５に入れて運搬するので、底部３にはペット８の体重に充分耐えうる剛性を持たせる必要がある。底部３に、このような剛性を持たせるために、本発明においては、充分な剛性を有する底板２を、底部布材９に着脱自在な構成とした。底部布材９は、図５に示すように、バッグ１のすべての側面（前、後、両横側面）の底部に接合するとともに、その上側面には、面ファスナ１０（１０ａ、１０ｂ）を設けた構成としている。一方、底板２は、図３に示すように、プラスチック等の適宜な剛体（図示省略）の上側面をエアメッシュ７で覆うとともに、図４に示すように、その下側面には、底部布材９の面ファスナ１０に対応する面ファスナ１１（１１ａ、１１ｂ）を設けた。
【００２２】
バッグ１にペット８を収納して運搬する場合、底板２の面ファスナ１１ａ、１１ｂを、底部布材９の面ファスナ１０ａ、１０ｂに対応させて、底板２を底部布材９の上に載置し、面ファスナ１０と面ファスナ１１を結合すると、底部３にしっかりした剛性を持たせることができる。そして、底板２の上側面はエアメッシュ７で覆っているので、ペット８から発生する汗や体液等も良く吸収して、ペット収納用の閉空間５を快適な環境に保つ働きをする。
【００２３】
底部布材９を押さえながら、底板２を底部布材９から引き離す方向に力を加えれば、底板２の面ファスナ１１と底部布材９の面ファスナ１０との結合状態が解除されて、底板２を底部３から取り外すことができる。この操作を容易にするために、底板２の上側面側に帯紐材１２を取り付けた。この帯紐材１２を手で持って引っ張れば、底板２の底部３からの引きはがしを容易に行うことができる。なお、バッグ１の使用状態においては、底部布材９の上に底板２が載置されるので、底部布材９は必ずしもエアメッシュ７で構成しなくても良く、安価で丈夫な合成繊維等の適宜な布材としても良い。
【００２４】
バッグ１の未使用状態において、底板２を底部布材９から引き離して、底板２の底部３への載置状態を解除すると、底部の剛性が無くなるので、図６に示すように、前および後側面の底部側は互いに近づく方向に傾斜させて、折りたたみ状態にすることができる。したがって、例えばペット８を連れて外出し、その外出先でペット８を散歩させる場合などにおいては、バッグ１を小さく折り畳んで持ち運ぶことができる。
【００２５】
フレーム１３は折れ難くしっかりした剛性を有するステンレス材等を、バッグ１の前および後側面の周縁部に合った枠形状に成形するとともに、これをバッグ１の前および後側面の周縁部に縫い付ける等して設ければ良い。同様に、棒体１４も折れ難くしっかりした剛性を有するステンレス材等の棒材を、バッグ１の両横端縁部に縫い付ける等して設ける。
【産業上の利用可能性】
【００２６】
以上のように、本発明のペット収納用バッグは、まず第１に、飼い主にとってはとても大切なペットを安全に運搬できるという基本的な機能を備えていることはもちろんであるが、第２に、特別な穴開け加工やメッシュ材の縫付け作業をしなくても、極めて良好な通気性を有しているので、快適なペット収納用バッグをより少ない加工工程で製造できること、第３に、軽量でしかもペットの出し入れが容易であり、しかもコンパクトな未使用状態とすることができるので、腕力の弱い女性や子供にも取扱い易いこと、等の理由により、その産業上の利用可能性はきわめて大である。
【図面の簡単な説明】
【００２７】
【図１】本発明に係るペット収納用バッグの一形態を示す斜視図である。
【図２】本発明に係るペット収納用バッグの一形態を示す一部を切り欠いた斜視図である。
【図３】底板の平面図である。
【図４】底板の底面図である。
【図５】本発明に係るペット収納用バッグの一形態を示す一部を切り欠いた平面図である。
【図６】本発明に係るペット収納用バッグの一形態を示す斜視図である。
【図７】従来例の説明図である。
【符号の説明】
【００２８】
１                ペット収納用バッグ
２                底板
３                底部
４                通気性布材
５                ペット収納用の閉空間
６（６ａ、６ｂ）  開閉部
７                エアメッシュ
８                ペット
９                底部布材
１０（１０ａ、１０ｂ）        面ファスナ
１１（１１ａ、１１ｂ）        面ファスナ
１２              帯紐材
１３              フレーム
１４              棒体
１５（１５ａ、１５ｂ）        開閉部のファスナ
１００            従来例のペット犬の運搬バッグ
１０１            帯紐体
１０２            通気窓
１０３            通気兼用の覗き窓
【図１】
2009142196.tif 000003
【図２】
2009142196.tif 000004
【図３】
2009142196.tif 000005
【図４】
2009142196.tif 000006
【図５】
2009142196.tif 000007
【図６】
2009142196.tif 000008
【図７】
2009142196.tif 000009